(57)【要約】【課題】異常発生時のみに使用する特別な装置を設けることなく、警備員が異常事態に速やかに対応することが可能な電気錠システム。【解決手段】複数の部屋を備える建物において、共用玄関扉Ｄまたは各部屋の出入扉Ｄにそれぞれ設けられる電気錠Ｋと、各電気錠Ｋに対応して設けられ共用玄関扉Ｄ又は出入扉Ｄから出入りする人に提示された個別情報を読み取る個別情報読取装置Ｒと、前記電気錠Ｋの解錠を許可する個別情報を記憶した個別情報記憶手段とを備えており、個別情報読取装置Ｒは読み取った個別情報が許可された個別情報であった場合に前記電気錠Ｋを解錠するものであって、建物内での異常を検知する異常検知手段を更に備えており、個別情報記憶手段は、異常検知手段が異常を検知した時にのみ前記電気錠Ｋの解錠を許可する異常時個別情報を記憶している。【選択図】図１
2009127311.tif 000002
【特許請求の範囲】
【請求項１】
複数の部屋を備える建物において、共用玄関扉または各部屋の出入扉をそれぞれ施解錠する電気錠と、各電気錠に対応して設けられ共用玄関扉又は出入扉から出入りする人に提示された個別情報を読み取る個別情報読取装置と、前記電気錠の解錠を許可する個別情報を記憶した個別情報記憶手段とを備えており、個別情報読取装置は読み取った個別情報が許可された個別情報であった場合に前記電気錠を解錠する電気錠システムであって、
建物内での異常を検知する異常検知手段を備えており、個別情報記憶手段は、異常検知手段が異常を検知した時にのみ前記電気錠の解錠を許可する異常時個別情報を記憶していることを特徴とする電気錠システム。
【請求項２】
異常時個別情報を読み取ることで解錠を許可する電気錠を選択する選択手段を備えており、選択手段は、異常検知手段で検知された異常の内容に応じて解錠を許可する電気錠を選択するようになしたことを特徴とする請求項１に記載の電気錠システム。
【請求項３】
異常検知手段は、建物内の共用部や各部屋に設けられた複数の異常検知センサおよび異常検知センサが伝送線を介して接続される警報監視盤から成ることを特徴とする請求項１または２記載の電気錠システム。
【発明の詳細な説明】
【技術分野】
【０００１】
本願発明は、複数の部屋を有し、各部屋が電気錠で施錠可能な建物に備えられた電気錠システムに関する。
【背景技術】
【０００２】
従来から、建物内において火災等の自然災害や不審者の侵入等による防犯上の異常が検知された場合には、その旨を管理会社や警備会社に自動通報するシステムが導入された建物がある。このようなシステムによって、異常検知の通報を受けた管理会社等は、警備員を現地に急行させ異常に対応することになるが、この際に、建物内の共用玄関や各部屋の扉が解錠されていることが必要となる。ただし、異常検知された際に無条件に全ての扉を解錠させてしまうと、火事場泥棒等による防犯上の問題が発生することになる。
【０００３】
このような問題に対処した従来例として、特許文献１に示されたものがある。このものでは、緊急信号発生器および指紋照合器が建物の通用口付近に設けられており、異常発生時においては、警備員が暗証番号を入力することで緊急信号発生器を操作し、指紋照合器に指紋を入力することで、通用口および建物の各部屋の扉が解錠されるようになっている。
【特許文献１】特開２００２−００４６６４号公報
【発明の開示】
【発明が解決しようとする課題】
【０００４】
しかし、前記特許文献１に記載のものでは、通常時には使用されることのない緊急信号発生器なるものが必要となり、少なくとも暗証番号入力のためのテンキーを通用口付近の壁面に露出して設ける必要があるため、建物の美観を損ねるものであった。更に、異常発生時においては、警備員は暗証番号の入力および指紋入力が必要となるため、異常事態への対応が遅くなる虞がった。
【０００５】
本願発明は、係る課題を解決するためになしたものであり、その目的は、異常発生時のみに使用する特別な装置を設けることなく、警備員が異常事態に速やかに対応することが可能な電気錠システムを提供することにある。
【課題を解決するための手段】
【０００６】
請求項１に係る発明の電気錠システムは、複数の部屋を備える建物において、共用玄関扉または各部屋の出入扉をそれぞれ施解錠する電気錠と、各電気錠に対応して設けられ共用玄関扉又は出入扉から出入りする人に提示された個別情報を読み取る個別情報読取装置と、前記電気錠の解錠を許可する個別情報を記憶した個別情報記憶手段とを備えており、個別情報読取装置は読み取った個別情報が許可された個別情報であった場合に前記電気錠を解錠する電気錠システムであって、建物内での異常を検知する異常検知手段を備えており、個別情報記憶手段は、異常検知手段が異常を検知した時にのみ前記電気錠の解錠を許可する異常時個別情報を記憶していることを特徴としている。
【０００７】
請求項２に係る発明の電気錠システムは、異常時個別情報を読み取ることで解錠を許可する電気錠を選択する選択手段を備えており、選択手段は、異常検知手段で検知された異常の内容に応じて解錠を許可する電気錠を選択するようになしたことを特徴としている。
【０００８】
請求項３に係る発明の電気錠システムは、異常検知手段は、建物内の共用部や各部屋に設けられた複数の異常検知センサおよび異常検知センサが伝送線を介して接続される警報監視盤から成ることを特徴としている。
【発明の効果】
【０００９】
請求項１に係る発明の電気錠システムによれば、個別情報記憶手段において、通常時に用いられる個別情報に加えて、異常時にのみ有効となる異常時個別情報を記憶させることで、異常時専用の装置を新たに設けることなく、異常時に速やかに建物内の扉を解錠することが可能なシステムとなる。
【００１０】
請求項２に係る発明の電気錠システムによれば、異常検知手段で検知された異常の内容に応じて解錠を許可する電気錠を選択するため、異常内容によっては解錠が不要な扉まで解錠可能な状態になるのを防ぐことができる。
【００１１】
請求項３に係る発明の電気錠システムによれば、建物に通常備えられる異常検知センサおよび警報監視盤を異常検知手段として用いることで、低コストで容易に導入が可能なシステムとなる。
【発明を実施するための最良の形態】
【００１２】
図１、２は、本願発明に対応した第一の実施形態である電気錠システムを示している。この電気錠システムは、複数の部屋を備える建物において、共用玄関扉Ｄまたは各部屋の出入扉Ｄにそれぞれ設けられる電気錠Ｋと、各電気錠Ｋに対応して設けられ共用玄関扉Ｄ又は出入扉Ｄから出入りする人に提示された個別情報を読み取る個別情報読取装置Ｒと、前記電気錠Ｋの解錠を許可する個別情報を記憶した個別情報記憶手段とを備えており、個別情報読取装置Ｒは読み取った個別情報が許可された個別情報であった場合に前記電気錠Ｋを解錠するものである。また、建物内での異常を検知する異常検知手段を更に備えており、個別情報記憶手段は、異常検知手段が異常を検知した時にのみ前記電気錠Ｋの解錠を許可する異常時個別情報を記憶している。
【００１３】
また、異常時個別情報により解錠を許可する電気錠Ｋを選択する選択手段を備えており、選択手段は、異常検知手段で検知された異常の内容に応じて解錠を許可する電気錠Ｋを選択するようになしている。また、異常検知手段は、建物内の共用部や各部屋に設けられた複数の異常検知センサＳおよび異常検知センサＳが伝送線Ｌを介して接続される警報監視盤２から成るものである。
【００１４】
以下、この実施形態の電気錠システムを、より具体的詳細に説明する。図１は、本発明実施例の概略構成を説明するシステム図である。この電気錠システムは、集合住宅の共用玄関扉Ｄおよび各住戸の玄関扉Ｄ付近に個別情報読取装置Ｒが設けられ、これらの扉Ｄから出入りする住人等に提示されたカードキーからＩＤ（個別情報）を読み取り認証することで扉Ｄに設けられた電気錠Ｋの解錠を行う。なお、本実施形態では個別情報の記憶媒体としてカードキーを例示しているが、携帯電話や他の記憶媒体であってもよい。
【００１５】
また、集合住宅の各住戸には異常検知センサＳと住戸インターホン１が、管理人室や共用部には異常検知センサＳを監視する警報監視盤２（異常検知手段）が、共用玄関（ロビー）にはロビーインターホン３が設けられており、住戸インターホン１、警報監視盤２、ロビーインターホン３はそれぞれが伝送線Ｌを介して音声信号の授受を行うことで通話可能になっている。異常検知センサＳが住戸内の異常を検知すると、接続先の住戸インターホン１にて警報の報知がなされ、住戸インターホン１から警報監視盤２へと異常検知信号が送信される。このように各住戸の異常検知センサＳが住戸インターホン１を介し伝送線Ｌを通じて警報監視盤２に接続されることで、警報監視盤２は各住戸で発生した異常を監視できるようになっている。
【００１６】
そして、警報監視盤２は、外部ネットワークを介して警備会社４等と通信することができ、集合住宅内で異常が発生すると、異常内容に応じて警備会社４や救急隊等に自動通報するようになっている。ここで、警備員や救急隊は後述する異常時ＩＤ（異常時個別情報）が記憶されたカードキーを所持しており、異常発生の通報を受けて現場に急行した警備員は、異常時ＩＤが記憶されたカードキーを用いて集合住宅内の玄関扉Ｄに設置された電気錠Ｋを解錠する。
【００１７】
異常検知センサＳは、各住戸およびロビーや階段等の共用部に設けられており、自然災害による異常を検知するものとして、火災を検知するための熱センサ、煙センサ、ガス漏れを検知するためのガスセンサ等を使用することができる。また防犯上の異常を検知するものとして、磁石により玄関ドアや窓の開閉を検知するマグネットスイッチ、侵入者を検知する熱線センサ、電気錠Ｋがピッキング等によりＩＤ認証なしで解錠されたことを検知する電気錠制御装置等を使用することができる。
【００１８】
なお、この集合住宅管理システムは、マンションや社宅等の集合住宅用として用いられる他、オフィスビルにも適用可能であるが、本実施例では主にマンションに用いられる場合を想定して説明する。
【００１９】
図２は、住戸インターホン１および個別情報読取装置Ｒの概略構成を示すブロック図である。住戸インターホン１は、全体の制御を行う制御部１１と、伝送線Ｌが接続されることで警報監視盤２やロビーインターホン３との間で制御、映像、音声等の各信号を送受信する伝送送受信部１２と、他の通話機器（ドアホン子器、ロビーインターホン３、警報監視盤２）と通話する通話部１３と、ドアホン子器やロビーインターホン３で撮像された来客者を表示する表示部１４と、種々の操作を行う操作部１５と、異常検知時に警報音を生成する警報音生成部１６と、住戸内の異常検知センサＳが伝送線Ｌを介して接続されるセンサ接続部１７と、ドアホン子器（不図示）が接続される子器接続部１８とを備えている。
【００２０】
個別情報読取装置Ｒは、全体の制御を行う制御部Ｒ１と、住戸インターホン１および電気錠Ｋに伝送線Ｌを介して接続される接続部Ｒ２と、住人等が所持するカードキーがかざされることでＩＤを読み取るＩＤ読取部Ｒ３と、接続された電気錠Ｋの解錠を許可するＩＤが記憶されたＩＤ記憶部Ｒ４（個別情報記憶手段）とを備えている。
【００２１】
ここで、このシステムにおいては、住戸毎にＩＤが設定されており、住人や管理人はＩＤが記憶されたＩＣタグを内蔵したカードキーを所持している。そして、このカードキーがかざされると、ＩＤ読取部Ｒ３にて非接触でＩＤが読み取られ、読み取られたＩＤが制御部にてＩＤ記憶部Ｒ４に記憶されたＩＤと照合される。照合の結果、読み取られたＩＤが許可されたＩＤである場合は接続された電気錠Ｋに解錠制御信号を送信して、電気錠Ｋを解錠する。
【００２２】
ところで、このシステムでは、平常時に住人や管理人が扉Ｄを施解錠するためのＩＤとは別に、異常検知時に警報監視盤２からのＩＤ制御信号を受けて有効となる異常時ＩＤ（異常時個別情報）が設定されている。この異常時ＩＤもＩＤ記憶部Ｒ４に記憶されており、制御部は警報監視盤２からのＩＤ制御信号を受信することで、異常時ＩＤの有効、無効を制御する。
【００２３】
図３は、警報監視盤２の概略構成を示すブロック図である。警報監視盤２は、全体の制御を行う制御部２１と、住戸インターホン１やロビーインターホン３との間で信号の授受を行う伝送送受信部２２と、他の通話機器（住戸インターホン１、ロビーインターホン３）との間で通話する通話部２３と、警報監視状況等の表示を行う表示部２４と、各種の操作を行う操作部２５と、異常検知時に警報音を生成する警報音生成部２６と、選択ＩＤ情報等が記憶された記憶部２７とを備えている。
【００２４】
ここで、住戸内の異常検知センサＳで異常検知がなされると、住戸インターホン１から警報監視盤２へと異常検知信号が送信される。異常検知信号を受信した警報監視盤２は、制御部２１にて異常内容および異常検知元が判別され、異常検知内容に応じた警報音及び警報表示がなされる。
【００２５】
また、記憶部２７には、異常内容、異常検知元と、これに対応して異常時ＩＤを有効化させる個別情報読取装置Ｒの情報が選択ＩＤ情報として記憶されている。そして、異常検知内容を判別した制御部２１は、この選択ＩＤ情報をもとに異常内容に対応した場所に設置された個別情報読取装置ＲへとＩＤ制御信号を送信して、異常時ＩＤを有効化させる。
【００２６】
選択ＩＤ情報は、例えば、異常検知内容が防犯上の異常であれば、異常検知された住戸およびロビーに対してのみ異常時ＩＤを有効化させ、異常検知内容が火災発生等の自然災害であれば、全ての住戸に対して異常時ＩＤを有効化させるものである。また、異常時ＩＤは、警備員、救急隊、管理人等にそれぞれ設定されていて、異常検知内容に応じて有効化する異常時ＩＤを選択するようにしてもよく、異常検知内容に対応した有効化する異常時ＩＤ、有効化する部屋番号の組み合わせは特に限定されることなく自由に設定できるものである。
【００２７】
図４は、ロビーインターホン３の概略構成を示すブロック図である。ロビーインターホン３は、全体の制御を行う制御部３１と、住戸インターホン１や警報監視盤２との間で信号の授受を行う伝送送受信部３２と、他の通話機器（住戸インターホン１、警報監視盤２）との間で通話する通話部３３と、通話先の住戸番号を表示する表示部３４と、各種の操作を行う操作部３５と、来訪者を撮像するカメラ３６と、共用玄関扉Ｄを解錠操作するための個別情報読取装置Ｒとを備えている。なお、個別情報読取装置Ｒは、ロビーインターホン３と一体に設けられているものを示しているが、これは別体であってもよく、また、その機能は各住戸に設置されているものと同様なので詳細な説明は省略する。
【００２８】
次に、この電気錠システムにおいて、異常検知がなされてから異常時ＩＤが有効化されるまでの一連のフローについて、図５を用いて説明する。まず、異常検知センサＳが住戸内の異常を検知すると検知信号が送信され、住戸インターホン１にて受信される（Ｓ０１）。検知信号を受信した住戸インターホン１は、異常検知信号を生成し警報監視盤２へと送信する（Ｓ０２）。警報監視盤２は、異常検知信号を受信すると（Ｓ０３）、制御部２１にて異常内容および異常検知元の住戸番号が判別される（Ｓ０４）。
【００２９】
そして、制御部２１は、選択ＩＤ情報を参照して、異常内容、異常検知元に対応した異常時ＩＤ有効化先の個別情報読取装置ＲへＩＤ制御信号を送信する（Ｓ０５）。ＩＤ制御信号は、各住戸においては住戸インターホン１を経由して個別情報読取装置Ｒへと送信され、ロビーにおいては、ロビーインターホン３を経由して個別情報読取装置Ｒへと送信される。
【００３０】
最後に、ＩＤ制御信号を受信した各個別情報読取装置Ｒは（Ｓ０６）、ＩＤ記憶部Ｒ４に記憶された異常時ＩＤを有効化させることで、異常時ＩＤを読み取った際に接続先の電気錠Ｋが解錠できるようになる（Ｓ０７）。なお、異常時ＩＤが複数ある場合は、受信したＩＤ制御信号から有効化する異常時ＩＤが判別され、ＩＤ制御信号により有効化が指示された異常時ＩＤのみが有効化されることになる。
【００３１】
ところで、有効化された異常時ＩＤの無効化の方法については、様々な方法があるが、例えば、所定時間経過後に無効化するか、或いは、警報監視盤２を操作することで無効化するＩＤ制御信号が個別情報読取装置Ｒに送信されるようにしてもよい。
【００３２】
したがって、この電気錠システムにおいては、異常発生時に自動通報を受けた警備員や救急隊は、所有している異常時ＩＤが記憶されたカードキーを用いて速やかに建物内の扉Ｄを解錠することができるため、異常への対処を迅速に行うことができる。また、異常時ＩＤは、個別情報読取装置ＲのＩＤ記憶部Ｒ４において、通常時に用いられるＩＤに加えて記憶されており、異常時専用の装置を新たに設けることはないため、低コストで建物の美観を損なうことなく導入することができる。
【００３３】
また、異常検知センサＳで検知された異常の内容に応じて解錠を許可する電気錠Ｋを選択するため、異常内容によっては解錠が不要な扉Ｄまで解錠可能な状態になるのを防ぐことができる。特に、防犯上の異常と、自然災害異常とでは異常への対応方法が大きく異なるので、両方の場合において解錠を許可する電気錠Ｋを変えることにより、より効果的になるものである。
【００３４】
また、建物に通常備えられる異常検知センサＳおよび警報監視盤２を異常検知手段として用いており、更に、警報監視盤２、住戸インターホン１、ロビーインターホン３がそれぞれ伝送線Ｌで接続された配線経路を用いてＩＤ制御信号の送受信を行うため、新たに必要な配線設備が少なくて済み、低コストで容易に導入が可能なシステムとなる。
【００３５】
なお、第一の実施形態では、個別情報読取装置Ｒに電気錠Ｋの解錠を許可するＩＤが記憶されているが、他の実施形態として、警報監視盤２、住戸インターホン１、或いは他のＩＤ管理機器にＩＤが記憶されているシステムが考えられる。この実施形態においては、個別情報読取装置ＲでＩＤが読み取られた際に、ＩＤが記憶されている他の機器と通信してＩＤの照合が行われる。そして、この実施形態においても、第一の実施形態と同じ効果を奏するものである。
【図面の簡単な説明】
【００３６】
【図１】本願発明の第一の実施形態である電気錠システムを示すシステム構成図。
【図２】同電気錠システムにおける住戸インターホン及び個別情報読取装置を示すブロック図。
【図３】同電気錠システムにおける警報監視盤を示すブロック図。
【図４】同電気錠システムにおけるロビーインターホンを示すブロック図。
【図５】同電気錠システムにおける動作フローを示すフロー図。
【符号の説明】
【００３７】
２  警報監視盤（異常検知手段、選択手段）
Ｄ  扉（共用玄関扉、出入扉）
Ｋ  電気錠
Ｌ  伝送線
Ｒ  個別情報読取装置
Ｒ４  ＩＤ記憶部（個別情報記憶手段）
Ｓ  異常検知センサ
【図１】
2009127311.tif 000003
【図２】
2009127311.tif 000004
【図３】
2009127311.tif 000005
【図４】
2009127311.tif 000006
【図５】
2009127311.tif 000007